(57)【要約】【課題】狭い場所でも設置工事を必要とせずに簡易的に吊り下げて使用できるプロジェクター及びその吊下げ方法を提供する。【解決手段】本発明に係るプロジェクターの吊下げ方法は、天井２２に設置されている電灯用電源２３に接続可能且つ吊下げ可能な電源用治具２４を有するプロジェクター２１の吊下げ方法であって、前記電灯用電源２３に前記電源用治具２４を接続して取り付けることにより、設置工事を行うことなく天井２２２からプロジェクター２１を吊り下げると共に、前記電源用治具２４を介してプロジェクター２１の内部に電力を供給するものである。【選択図】        図１
2004271964.tif 000002
【特許請求の範囲】
【請求項１】
設置工事を行うことなく天井から吊り下げられるプロジェクターであって、
天井に設置されている電灯用電源に接続可能且つ吊下げ可能な電源用治具がプロジェクター本体に取り付けられ、前記電灯用電源から前記電源用治具を介して内部に電力が供給されるプロジェクター。
【請求項２】
前記電源用治具と前記プロジェクター本体との間に配置された回転部材をさらに有し、前記回転部材は回転軸によってプロジェクター本体の向きを変えられるものである請求項１に記載のプロジェクター。
【請求項３】
天井に設置されている電灯用電源に接続可能且つ吊下げ可能な電源用治具を有するプロジェクターの吊下げ方法であって、
前記電灯用電源に前記電源用治具を接続して取り付けることにより、設置工事を行うことなく天井からプロジェクターを吊り下げると共に、前記電源用治具を介してプロジェクターの内部に電力を供給するプロジェクターの吊下げ方法。
【請求項４】
天井に設置されている電灯用電源に接続可能且つ吊下げ可能な電源用治具と、前記電源用治具とプロジェクター本体との間に配置された回転軸を有する回転部材と、を具備するプロジェクターの吊下げ方法であって、
前記電灯用電源に前記電源用治具を接続して取り付けることにより、設置工事を行うことなく天井からプロジェクターを吊り下げ、前記電源用治具を介してプロジェクターの内部に電力を供給すると共に、前記回転軸によってプロジェクター本体の向きを変更するプロジェクターの吊下げ方法。
【発明の詳細な説明】
【０００１】
【発明の属する技術分野】
本発明は、プロジェクター及びその吊下げ方法に係わり、特に、狭い場所でも設置工事を必要とせずに簡易的に吊り下げて使用できるプロジェクター及びその吊下げ方法に関する。
【０００２】
【従来の技術】
図３は、従来のプロジェクターを天井等から吊り下げるための吊下げ装置の一例を示す斜視図である（特開平８−２７５０９３号公報参照）。
プロジェクター１は、図示せぬ天井の下面に取付板２ａを介して取り付けられたパイプ２、メインパイプ３、移動部材４、取付ベース部６及び取付金具８からなる吊下げ装置によって吊下げ保持されている。
【０００３】
パイプ２は、取付板２ａを介して天井から垂下されており、このパイプ２の下端側には、メインパイプ３が上下動自在に係合し、固定ねじ９により固定されている。そして、このメインパイプ３の下端には、逆Ｕ字形状の移動部材４がメインパイプ３を軸として水平方向に回転自在に取り付けられている。
移動部材４の内側には、取付ベース部６が、回動軸５を中心軸として回動自在に取り付けられるとともに、固定ねじ１０が移動部材４に形成した円弧状のガイド孔４ａを貫通して取付ベース部６に螺合している。
【０００４】
取付ベース部６には、回動軸５と直交する揺動軸７が設けられており、この揺動軸７にプロジェクター１の上面に固定された一対の取付金具８が係合するとともに、固定ねじ１１が取付金具８の円弧状のガイド孔８ａを貫通して取付ベース部６に螺合している。これによりプロジェクター１は、天井面から方向調整可能に吊下げられる。
【０００５】
【特許文献１】
特開平８−２７５０９３号公報（２頁、図３）
【０００６】
【発明が解決しようとする課題】
従来、プロジェクターを使用する場合、机や台もしくは床の上に設置してスクリーンに投影するか、上述したように吊下げ装置によって天井から吊り下げてスクリーンに投影していた。しかしながら、天井から吊り下げる場合は吊下げ装置の天井への設置工事が必要となり、簡易的に天井から吊り下げてプロジェクターを使用する方法が無かった。
【０００７】
本発明は上記のような事情を考慮してなされたものであり、その目的は、狭い場所でも設置工事を必要とせずに簡易的に吊り下げて使用できるプロジェクター及びその吊下げ方法を提供することにある。
【０００８】
【課題を解決するための手段】
上記課題を解決するため、本発明に係るプロジェクターは、設置工事を行うことなく天井から吊り下げられるプロジェクターであって、
天井に設置されている電灯用電源に接続可能且つ吊下げ可能な電源用治具がプロジェクター本体に取り付けられ、前記電灯用電源から前記電源用治具を介して内部に電力が供給される。
【０００９】
上記プロジェクターによれば、プロジェクター本体に電源用治具を取り付け、この電源用治具を介してプロジェクターに電力を供給するように構成している。このため、プロジェクターを天井の電灯用電源に電源用治具によって簡易的に天井から吊り下げることができる。従って、狭い場所でも設置工事を必要とせずに簡易的に吊り下げてプロジェクターを使用できる。
【００１０】
また、本発明に係るプロジェクターにおいては、前記電源用治具と前記プロジェクター本体との間に配置された回転部材をさらに有し、前記回転部材は回転軸によってプロジェクター本体の向きを変えられるものであっても良い。
【００１１】
本発明に係るプロジェクターの吊下げ方法は、天井に設置されている電灯用電源に接続可能且つ吊下げ可能な電源用治具を有するプロジェクターの吊下げ方法であって、
前記電灯用電源に前記電源用治具を接続して取り付けることにより、設置工事を行うことなく天井からプロジェクターを吊り下げると共に、前記電源用治具を介してプロジェクターの内部に電力を供給するものである。
【００１２】
また、本発明に係るプロジェクターの吊下げ方法においては、天井に設置されている電灯用電源に接続可能且つ吊下げ可能な電源用治具と、前記電源用治具とプロジェクター本体との間に配置された回転軸を有する回転部材と、を具備するプロジェクターの吊下げ方法であって、
前記電灯用電源に前記電源用治具を接続して取り付けることにより、設置工事を行うことなく天井からプロジェクターを吊り下げ、前記電源用治具を介してプロジェクターの内部に電力を供給すると共に、前記回転軸によってプロジェクター本体の向きを変更するものである。
【００１３】
【発明の実施の形態】
以下、図面を参照して本発明の実施の形態について説明する。
図１は、本発明に係る第１の実施の形態によるプロジェクターを概略的に示す斜視図である。
このプロジェクター２１は、天井２２に設置されている電灯用電源２３をそのままプロジェクターの電源として使用するものである。そのためには、電灯用電源２３に接続可能且つ吊下げ可能な電源用治具２４をプロジェクター２１の上面に取り付けておく必要がある。電源用治具２４によってプロジェクター２１の内部に電力が供給されるようになっている。
【００１４】
つまり、通常、天井の電灯用電源２３には電灯（図示せず）が取り付けられているが、この電灯を電灯用電源２３から取り外し、この電灯用電源２３にプロジェクター２１の電源用治具２４を矢印２５のように回転させることにより、プロジェクター２１を天井の電灯用電源２３に取り付ける。このようにして電灯用電源２３から電源用治具２４を介して電力をプロジェクター２１に供給すると共に、プロジェクター２１を天井２２から吊り下げて設置する。
【００１５】
上記第１の実施の形態によれば、プロジェクター２１に電源用治具２４を取り付け、この電源用治具２４を介してプロジェクター２１に電力を供給するように構成している。このため、プロジェクター２１を天井の電灯用電源２３に電源用治具２４によって簡易的に天井から吊り下げることができる。従って、設置工事を行うことなく、天井からプロジェクターを吊り下げることができ、プロジェクターを狭い場所でも容易に活用することができる。
【００１６】
また、プロジェクター２１に取り付けた電源用治具２４がプロジェクターを吊り下げる役割を果たすと共に電力を供給する役割も果たすため、電源コードが不要となる。また、電源用治具２４は安価な治具であるため、プロジェクターに用いてもコストの増大を低く抑えることができる。
【００１７】
図２は、本発明に係る第２の実施の形態によるプロジェクターを概略的に示す構成図であり、図１と同一部分には同一符号を付し、異なる部分についてのみ説明する。
プロジェクター２１の上面には回転部材２７を介して電源用治具２４が取り付けられている。回転部材２７は、回転軸２６によって電源用治具２４に保持されている。つまり、回転軸２６によってプロジェクター２１の向きを回転方向に自在に変えることが可能となる。
【００１８】
電灯用電源２３にプロジェクター２１の電源用治具２４を回転させることにより、プロジェクター２１を天井の電灯用電源２３に取り付けると、電灯用電源２３から電源用治具２４を介して電力をプロジェクター２１に供給できると共に、プロジェクター２１を天井２２から吊り下げて設置でき、更に、プロジェクターから映像などをスクリーンに投影する際、プロジェクター２１の向きを適宜適切な方向に設定することが可能となる。
【００１９】
上記第２の実施の形態においても第１の実施の形態と同様の効果を得ることができ、しかも、回転部材２７を回転軸２６によって電源用治具２４に保持するように構成しているため、プロジェクター２１の向きを適切な方向に設定することができる。
尚、本発明は、上記実施の形態に限定されるものではなく、本発明の主旨を逸脱しない範囲内で種々変更して実施することが可能である。
【図面の簡単な説明】
【図１】第１の実施の形態によるプロジェクターを概略的に示す斜視図。
【図２】第２の実施の形態によるプロジェクターを概略的に示す構成図。
【図３】従来のプロジェクターを天井から吊り下げる装置の斜視図。
【符号の説明】
１…プロジェクター、２…パイプ、２ａ…取付板、３…メインパイプ、４…移動部材、４ａ…ガイド孔、５…回転軸、６…取付ベース部、７…揺動軸、８…取付金具、８ａ…ガイド孔、９〜１１…固定ねじ、２１…プロジェクター、２２…天井、２３…電灯用電源、２４…電源用治具、２５…矢印、２６…回転軸、２７…回転部材
【図１】
2004271964.tif 000003
【図２】
2004271964.tif 000004
【図３】
2004271964.tif 000005